(57)【要約】  特定色指定用マークによって表示画像５から特定色ａ，ｂの各ＲＧＢ色成分データを取得する特定色指定部２と、特定色ａ，ｂのＲＧＢ色成分データを用いてＲＧＢ色空間から特定色ａ，ｂの色相に相当する値Ｈを求める特定色情報変換部３と、特定色ａ，ｂの色相に相当する値Ｈに基づいて表示画像５の特定色ａを特定色ｂに色変換する色変換部４とを備える。
2009050798.tif 000002
【特許請求の範囲】
【請求項１】
入力デバイスによる入力操作に連動して表示画面に表示された処理対象の画像上を移動する特定色指定用マークによって前記処理対象の画像から少なくとも１組以上選択された各画像領域の色成分データを、第１及び第２の特定色の各色成分データとして取得する特定色指定部と、
前記特定色指定部により取得された前記第１及び前記第２の特定色の各色成分データを用いて、色相成分を有する色空間から前記第１及び前記第２の特定色の各色相に相当する値を求める特定色情報変換部と、
前記特定色情報変換部で求められた前記第１及び前記第２の特定色の各色相に相当する値に基づいて、前記処理対象の画像における前記第１の特定色を前記第２の特定色に色変換する色変換部とを備えた画像処理装置。
【請求項２】
特定色指定部は、表示画面に処理対象の画像に重ね合わせて表示させた、矩形枠内の横方向に色相環に応じた順序で色相を配置したカラーバーから特定色指定用マークによって選択された画像領域の色成分データを、第１及び第２の特定色の色成分データとして取得することを特徴とする請求項１記載の画像処理装置。
【請求項３】
特定色指定部は、表示画面に処理対象の画像に重ね合わせて表示させた、矩形枠内の横方向に色相環に応じた順序で色相を配置し、前記矩形枠内の縦方向に輝度を徐々に変化させたグラデーションカラーバーから特定色指定用マークによって選択された画像領域の色成分データを、第１及び第２の特定色の色成分データとして取得することを特徴とする請求項１記載の画像処理装置。
【請求項４】
特定色指定部は、表示画面に処理対象の画像に重ね合わせて表示させた、矩形枠内の横方向に色相環に応じた順序で色相を配置し、前記矩形枠内の縦方向に彩度を徐々に変化させたグラデーションカラーバーから特定色指定用マークによって選択された画像領域の色成分データを、第１及び第２の特定色の色成分データとして取得することを特徴とする請求項１記載の画像処理装置。
【請求項５】
特定色指定部は、入力デバイスの入力操作に連動して表示画面に処理対象の画像に重ね合わせて表示させた、円形枠内で環状に色相環に応じた順序で色相を配置し、前記円形枠の中心から外周方向へ向けて彩度を徐々に変化させたグラデーションカラーサークルから特定色指定用マークによって選択された画像領域の色成分データを、第１及び第２の特定色の色成分データとして取得することを特徴とする請求項１記載の画像処理装置。
【請求項６】
特定色指定用マークの移動が入力操作に連動する入力デバイスを備えたことを特徴とする請求項１記載の画像処理装置。
【請求項７】
入力デバイスによる入力操作に連動して表示画面に表示された処理対象の画像上を移動する特定色指定用マークによって前記処理対象の画像から少なくとも１つ以上選択された画像領域の色成分データを、特定色の色成分データとして取得する特定色指定部と、
前記特定色指定部により取得された前記特定色の色成分データを用いて、色相成分を有する色空間から前記特定色の色相に相当する値を求める特定色情報変換部と、
前記特定色情報変換部で求められた前記特定色の色相に相当する値に基づいて、前記処理対象の画像における前記特定色以外の色を白黒に色変換する排他色変換部とを備えた画像処理装置。
【請求項８】
特定色指定部は、表示画面に処理対象の画像に重ね合わせて表示させた、矩形枠内の横方向に色相環に応じた順序で色相を配置したカラーバーから特定色指定用マークによって選択された画像領域の色成分データを、特定色の色成分データとして取得することを特徴とする請求項７記載の画像処理装置。
【請求項９】
特定色指定部は、表示画面に処理対象の画像に重ね合わせて表示させた、矩形枠内の横方向に色相環に応じた順序で色相を配置し、前記矩形枠内の縦方向に輝度を徐々に変化させたグラデーションカラーバーから特定色指定用マークによって選択された画像領域の色成分データを、特定色の色成分データとして取得することを特徴とする請求項７記載の画像処理装置。
【請求項１０】
特定色指定部は、表示画面に処理対象の画像に重ね合わせて表示させた、矩形枠内の横方向に色相環に応じた順序で色相を配置し、前記矩形枠内の縦方向に彩度を徐々に変化させたグラデーションカラーバーから特定色指定用マークによって選択された画像領域の色成分データを、特定色の色成分データとして取得することを特徴とする請求項７記載の画像処理装置。
【請求項１１】
特定色指定部は、入力デバイスの入力操作に連動して表示画面に処理対象の画像に重ね合わせて表示させた、円形枠内で環状に色相環に応じた順序で色相を配置し、前記円形枠の中心から外周方向へ向けて彩度を徐々に変化させたグラデーションカラーサークルから特定色指定用マークによって選択された画像領域の色成分データを、特定色の色成分データとして取得することを特徴とする請求項７記載の画像処理装置。
【請求項１２】
特定色指定用マークの移動が入力操作に連動する入力デバイスを備えたことを特徴とする請求項７記載の画像処理装置。
【発明の詳細な説明】
【技術分野】
【０００１】
この発明は、入力画像の特殊画像を作成する画像処理装置に関するものである。
【背景技術】
【０００２】
例えば、特許文献１は、入力画像に特殊効果処理を施して特殊画像を作成する画像処理装置を開示する。この装置で実行される特殊効果処理としては、入力画像から特定色を指定し、この特定色以外は白黒画像として表示したり、特定色（色Ａ）を他の特定色（色Ｂ）に置き換えた画像とするもの等がある。特定色以外を白黒画像とする特殊効果では、例えば女性の顔のうち唇の色だけを残してそれ以外の色をグレーにして画像中の一部を強調した画像を得ることができる。【０００３】
【特許文献１】特開２００４−７３７０号公報
【０００４】
従来の画像処理装置では、特殊効果処理に関する操作が複雑であったり、この操作を行うためのＧＵＩ（Graphical User Interface）が比較的大きな表示画面を有するコンピュータを対象とするものであった。例えば、従来の画像処理ソフトウエアは、コンピュータに実行させることで様々な種類の特殊効果処理を行うことができるが、特殊効果の選択や処理内容を設定する操作等が比較的難しく、熟練した作業者によらないと所望の画像を得ることができない。【０００５】
また、特許文献１では、処理前の入力画像と処理後の特殊画像とを同一画面で別個に表示しかつ操作内容を示すウィンドウを表示可能な比較的大きな表示画面で、マウス等のポインティングデバイスを用いて入力画像から特定色を指定する。【０００６】
このように、従来の画像処理装置では、比較的大きな表示画面に対応したユーザインタフェースを介して特殊効果処理等が実行される。このため、携帯電話やデジタルスチルカメラ（以下、ＤＳＣと適宜称す）等の小型表示画面を有する装置では、従来の画像処理装置でのユーザインタフェースは大き過ぎて画面上に表示できない。【０００７】
また、携帯電話やＤＳＣは、キーボタンやジョグダイヤル等の小型の入力デバイスを有しており、その占有面積を削減するために筐体の同一外表面上に入力デバイスと表示画面との双方を設けたものもある。このような入力デバイスは、マウスやキー操作を多用する複雑な操作には不向きである。【０００８】
さらに、特許文献１を含む従来の画像処理装置は、特殊効果処理での色変数である色相を三角関数を用いて演算している。例えば、入力画像のＲ（赤）、Ｇ（緑）、Ｂ（青）（以下、ＲＧＢと適宜記載する）をＸＹＺ色空間に変換し、べき乗の演算を行ってＬａｂ均等色空間に変換してから、三角関数（Ｈ＝ａｔａｎθ又はＨ＝ａｔａｎ（ａ，ｂ））等の複雑な演算により色相Ｈに変換する。【０００９】
このように、従来の画像処理装置は、画像処理の演算負荷が大きい。このため、画像処理の演算速度を上げるには、多数の演算器を組み合わせた大規模なハードウエア構成が必要となり、小型で高速の装置を実現することが困難であるという課題があった。【００１０】
この発明は上記のような課題を解決するためになされたもので、簡単な入力操作で特殊画像を高速に作成することができる画像処理装置を得ることを目的とする。
【発明の開示】
【００１１】
この発明に係る画像処理装置は、入力デバイスによる入力操作に連動して表示画面に表示された処理対象の画像上を移動する特定色指定用マークによって処理対象の画像から少なくとも１組以上選択された各画像領域の色成分データを、第１及び第２の特定色の各色成分データとして取得する特定色指定部と、特定色指定部により取得された第１及び第２の特定色の各色成分データを用いて、色相成分を有する色空間から第１及び第２の特定色の各色相に相当する数値を求める特定色情報変換部と、特定色情報変換部で求められた第１及び第２の特定色の各色相に相当する数値に基づいて、処理対象の画像における第１の特定色を第２の特定色に色変換する色変換部とを備えるものである。この構成を有することによって、ユーザの好みに応じた特殊画像を簡単な入力操作で高速に作成することができるという効果がある。
【図面の簡単な説明】
【００１２】
【図１】この発明の実施の形態１による画像処理装置の構成を示すブロック図である。
【図２】特定色の指定操作を説明するための図である。
【図３】この発明の実施の形態２による画像処理装置の構成を示すブロック図である。
【図４】この発明の実施の形態３による画像処理装置で特定色の指定に使用するカラーバーを示す図である。
【図５】この発明の実施の形態４による画像処理装置で特定色の指定に使用するグラデーションカラーバーを示す図である。
【図６】実施の形態４による画像処理装置で特定色の指定に使用するグラデーションカラーバーの他の例を示す図である。
【図７】実施の形態４による画像処理装置で特定色の指定に使用するグラデーションカラーサークルを示す図である。
【図８】この発明の実施の形態５による画像処理装置の構成を示すブロック図である。
【図９】図８中の画像処理装置による特定色の指定処理を説明するための図である。
【図１０】図８中の画像処理装置による特定色の指定処理の他の例を説明するための図である。
【発明を実施するための最良の形態】
【００１３】
以下、この発明をより詳細に説明するために、この発明を実施するための最良の形態について、添付の図面に従って説明する。
実施の形態１．
図１は、この発明の実施の形態１による画像処理装置の構成を示すブロック図である。図１において、実施の形態１による画像処理装置１は、入力した第１の画像信号の画像で特定色ａ（第１の特定色）を特定色ｂ（第２の特定色）に色変換する装置である。ここで、第１の画像信号はＲＧＢ信号からなり、画像処理装置１が備える表示デバイス（不図示）の表示画面上に表示する画像データである。また、第２の画像信号は、第１の画像信号の画像における特定色ａを特定色ｂへ色変換を行った画像データである。【００１４】
実施の形態１による画像処理装置１は、特定色指定部２、特定色情報変換部３及び色変換部４を備える。特定色指定部２は、第１の画像信号の画像から色変換に必要な特定色の指定を行うための構成要素であり、不図示の入力デバイスを用いた入力操作に連動して第１の画像信号の画像から特定色を指定するためのＧＵＩを提供する。【００１５】
特定色情報変換部３は、特定色指定部２で指定された特定色の色成分データを、色変換処理に適用可能な色変換情報に変換する。この色変換情報としては、例えば特定色のＲＧＢデータに対応するＲＧＢ比率を用いてＲＧＢ空間から算出した色相に相当する数値がある。なお、色変換情報は、色変換部４で実行する色変換の方法によって異なる。例えば、色変換部４によってＹＣｂＣｒ色空間やＬ＊ａ＊ｂ＊色空間で色変換が行われる場合、ＹＣｂＣｒ色空間やＬ＊ａ＊ｂ＊色空間で規定される色相に相当する数値が色変換情報となる。【００１６】
色変換部４は、特定色情報変換部３で求められた特定色の色変換情報を用いて、第１の画像信号の画像を色変換し、第２の画像信号として出力する。色変換の方法としては、色変換をしたい特定色の色相を指定して色変換後の特定色の色相に色変換するものであればよい。また、ＲＧＢ色空間、ＹＣｂＣｒ色空間、Ｌ＊ａ＊ｂ＊色空間等の色空間で色変換するようにしてもよい。【００１７】
上述した特定色指定部２、特定色情報変換部３及び色変換部４は、本発明の趣旨に従う画像処理プログラムをコンピュータに実行させてその動作を制御することにより、ソフトウエアとハードウエアとが協働した具体的な手段として実現することができる。【００１８】
次に動作について説明する。
以降では、小型の表示デバイスを有した携帯情報端末のプロセッサに上記画像処理プログラムを実行させて実施の形態１による画像処理装置１を具現化した場合を例に挙げる。なお、上記携帯情報端末としては携帯電話やＤＳＣが考えられるが、本発明はこれに限定されるものではない。例えば、ＰＤＡ（Personal Digital Assistants）として分類される携帯情報端末であってもよい。【００１９】
先ず、画像処理装置１の特定色指定部２は、画像処理対象の第１の画像信号を上記表示デバイスの表示画面に表示する。図２は、特定色の指定操作を説明するための図であり、表示画像５は上記表示画面上に表示させた第１の画像信号の画像である。ここで、ユーザは、上記携帯情報端末に備えられた不図示の入力デバイスを用いて上記表示画面上の表示画像５から特定色を指定する。【００２０】
図２に示す例では、ユーザが、不図示の入力デバイスを用いて表示画像５における家の屋根の一部を、色変換を行う特定色ａの部分領域としてマーキングし、表示画像５における空の一部を、特定色ａの色変換後の色である特定色ｂの部分領域としてマーキングした場合を示している。なお、マーキングは、上記入力デバイスの入力操作に連動して表示画像５中に表示してもよい。図２では、矩形のマークで特定色の部分領域を表している。【００２１】
特定色指定部２は、上述のようにして表示画像５上の部分領域がマーキングされると、ユーザに指定された特定色のＲＧＢデータとして上記部分領域内のＲＧＢデータを取得する。なお、マーキング箇所は複数画素からなる微小エリアであるため、特定色指定部２は、このエリア内の画素のＲＧＢ平均値を算出してマーキング箇所の特定色のＲＧＢデータとする。例えば、マーキング箇所が、縦横ｎ×ｍ画素（ｎ，ｍは正の整数）のエリアである場合、特定色指定部２は、ｎ×ｍ画素のＲＧＢ平均値を特定色のＲＧＢ値として求める。【００２２】
特定色情報変換部３は、特定色指定部２から特定色ａ，ｂのＲＧＢデータを取得すると、特定色ａ，ｂのＲＧＢデータから特定色ａの色相に相当する数値及び特定色ｂの色相に相当する数値を算出し、色変換部４による色変換に必要な色変換情報として色変換部４に出力する。ここでは、ＲＧＢ色空間でＲＧＢ比率から色相に相当する数値Ｈを算出する。
例えば、ＲＧＢが各々０〜２５５の値をとる場合、特定色のＲＧＢ比率ＨＰは下記式（１）で表され、ＲＧＢ比率ＨＰの下記場合分けによりＲＧＢ色空間内の色領域を特定して色相に相当する数値Ｈを求める。
ＨＰ＝（ｍａｘ（Ｒ，Ｇ，Ｂ）−ｍｉｎ（Ｒ，Ｇ，Ｂ））×２５５／（ｍａｘ（Ｒ，Ｇ，Ｂ）−ｍｉｎ（Ｒ，Ｇ，Ｂ））      ・・・（１）
０＜ＨＰ≦２５５（赤〜黄）のとき、Ｈ＝ＨＰ
２５５＜ＨＰ≦２５５×２（黄〜緑）のとき、Ｈ＝２５５×２−ＨＰ
２５５×２＜ＨＰ≦２５５×３（緑〜シアン）のとき、Ｈ＝２５５×２＋ＨＰ
２５５×３＜ＨＰ≦２５５×４（シアン〜青）のとき、Ｈ＝２５５×４−ＨＰ
２５５×４＜ＨＰ≦２５５×５（青〜マゼンタ）のとき、Ｈ＝２５５×４＋ＨＰ
２５５×５＜ＨＰ≦２５５×６（マゼンタ〜赤）のとき、Ｈ＝２５５×６−ＨＰ【００２３】
このように、実施の形態１による画像処理装置１では、ＲＧＢ色空間におけるＲＧＢ比率に基づいて、色相に相当する数値Ｈを求める。このため、特定色情報変換部３の演算は、従来と異なり乗算や複雑な三角関数の演算を含まず、ＲＧＢ比率ＨＰを求める除算器一つとＨＰの条件分岐だけでよい。従って、色相に相当する数値を求める演算の負荷を低減することができる。【００２４】
上述の説明では、ＲＧＢ色空間でＲＧＢ比率から色相に相当する数値Ｈを求める場合を示したが、これに限定されるものではない。例えば、特定色情報変換部３が、特定色ａ，ｂのＲＧＢデータを、色変換情報としてＹＣｂＣｒデータに変換してＹＣｂＣｒ色空間でＹＣｂＣｒ比率から色相に相当する数値を求めてもよい。また、特定色ａ，ｂのＲＧＢデータを、色変換情報としてＬ＊ａ＊ｂ＊データに変換してＬ＊ａ＊ｂ＊色空間で色相に相当する数値を求めてもよい。【００２５】
色変換部４では、特定色情報変換部３によって求められた色変換情報に基づいて第１の画像信号の画像に色変換を行い、第２の画像信号として出力する。図２の例では、第１の画像信号の表示画像５において特定色ａが特定色ｂに色変換された画像が作成され、第２の画像信号として表示デバイスに出力される。【００２６】
以上のように、この実施の形態１によれば、表示画像５上を移動する特定色指定用マークによって表示画像５から少なくとも１組以上選択された各画像領域のＲＧＢ色成分データを、特定色ａ，ｂの各ＲＧＢ色成分データとして取得する特定色指定部２と、特定色指定部２により取得された特定色ａ，ｂの各ＲＧＢ色成分データを用いて、色相成分を有するＲＧＢ色空間から特定色ａ，ｂの各色相に相当する数値Ｈを求める特定色情報変換部３と、特定色情報変換部３で求められた特定色ａ，ｂの各色相に相当する数値Ｈに基づいて、表示画像５における特定色ａを特定色ｂに色変換する色変換部４とを備える。これにより、表示画像５中で特定色ａ，ｂを指定することから、マウスやキー操作を多用する複雑な操作が不要であり、簡単な入力操作で特定色を指定することができる。また、特定色ａ，ｂの各色成分データを用いて、色相成分を有するＲＧＢ色空間から特定色ａ，ｂの各色相に相当する数値Ｈを求めることから、色変換情報として特定色の色相に相当する数値を除算と条件分岐による簡単な演算で求めることができ、従来と比較して格段に演算負荷を低減できる。これにより、特定色ａを特定色ｂに色変換する特殊画像を高速に作成することができる。【００２７】
なお、上記実施の形態１では、特定色ａ，ｂを一組だけ指定して色変換する場合を説明したが、色変換すべき特定色と変換後の特定色との組は、複数組であってもよい。この場合、特定色情報変換部３は、ある組での色変換すべき特定色のデータから導き出した色相に相当する数値で表される色相領域と、他の組での色変換すべき特定色のデータから導き出した色相に相当する数値で表される色相領域とが重ならないように各組の色相に相当する数値を求めて、各組の色変換すべき特定色に対応する色相領域を設定する。【００２８】
実施の形態２．
図３は、この発明の実施の形態２による画像処理装置の構成を示すブロック図である。図３において、実施の形態２による画像処理装置１Ａは、入力した第１の画像信号の画像で指定した特定色ａの領域以外を白黒に排他色変換する装置である。ここで、第１の画像信号はＲＧＢ信号からなり、画像処理装置１が備える不図示の表示画面上に表示する画像データである。また、第２の画像信号は、第１の画像信号の画像における特定色ａの領域以外を白黒へ排他色変換を行った画像データである。【００２９】
実施の形態２による画像処理装置１Ａは、特定色指定部２、特定色情報変換部３及び排他色変換部６を備える。特定色指定部２は、第１の画像信号の画像から色変換に必要な特定色の指定を行うための構成要素であり、不図示の入力デバイスを用いた入力操作に連動して第１の画像信号の画像から特定色を指定するためのＧＵＩを提供する。【００３０】
特定色情報変換部３は、特定色指定部２で指定された特定色のデータ及び予め設定された白黒レベルを、排他色変換処理に適用可能な色変換情報に変換する。この色変換情報としては、例えば特定色のＲＧＢデータに対応するＲＧＢ比率を用いてＲＧＢ空間から算出した色相に相当する数値がある。なお、色変換情報は、排他色変換部６で実行する排他色変換の方法によって異なる。例えば、排他色変換部６でＹＣｂＣｒ色空間やＬ＊ａ＊ｂ＊色空間で排他色変換が行われる場合、ＹＣｂＣｒ色空間やＬ＊ａ＊ｂ＊色空間で規定される色相に相当する数値が色変換情報となる。【００３１】
排他色変換部６は、特定色情報変換部３で求められた特定色の色変換情報を用いて、第１の画像信号の画像を排他色変換し、第２の画像信号として出力する。なお、排他色変換は、ＲＧＢ色空間、ＹＣｂＣｒ色空間、Ｌ＊ａ＊ｂ＊色空間等の色空間で行うようにしてもよい。【００３２】
上述した特定色指定部２、特定色情報変換部３及び排他色変換部６は、本発明の趣旨に従う画像処理プログラムをコンピュータに実行させてその動作を制御することにより、ソフトウエアとハードウエアとが協働した具体的な手段として実現することができる。【００３３】
次に動作について説明する。
以降では、小型の表示デバイスを有した携帯情報端末のプロセッサに上記画像処理プログラムを実行させて画像処理装置１Ａを具現化した場合を例に挙げる。なお、上述した携帯情報端末としては携帯電話やＤＳＣが考えられるが、本発明はこれに限定されるものではない。例えば、ＰＤＡ（Personal Digital Assistants）として分類される携帯情報端末であってもよい。【００３４】
先ず、画像処理装置１Ａの特定色指定部２は、画像処理対象の第１の画像信号の画像を上記表示デバイスの表示画面に表示する。ここで、ユーザは、上記携帯情報端末に備えられた不図示の入力デバイスを用いて上記表示画面上の表示画像から特定色を指定する。【００３５】
上記実施の形態１で示した図２を用いて説明する。図２において、ユーザが、不図示の入力デバイスを用いて、例えば表示画像５における家の屋根の一部を、排他色変換をしない（排他色変換で白黒にしない）特定色ａの部分領域としてマーキングする。なお、マーキングは、上記実施の形態１と同様に、入力デバイスの入力操作に連動して表示画像５中に矩形のマークで表示するようにしてもよい。【００３６】
特定色指定部２は、上述のようにして表示画像５上の部分領域がマーキングされると、ユーザに指定された特定色のＲＧＢデータとして上記部分領域内のＲＧＢデータを取得する。なお、上記実施の形態１と同様に、マーキング箇所は複数画素からなる微小エリアであるため、特定色指定部２は、このエリア内の画素のＲＧＢ平均値を算出してマーキング箇所の特定色のＲＧＢデータとする。【００３７】
特定色情報変換部３は、特定色指定部２から排他色変換をしない特定色ａのＲＧＢデータを取得すると、上記実施の形態１と同様にして、特定色ａのＲＧＢデータから特定色ａの色相に相当する数値を算出する。この後、特定色情報変換部３は、排他色変換をしない特定色ａの色相に相当する数値と予め設定された白黒レベルデータとを、色変換情報として排他色変換部６に出力する。ここでは、ＲＧＢ色空間でＲＧＢ比率から色相に相当する数値Ｈを算出する。【００３８】
排他色変換部６では、特定色情報変換部３によって求められた色変換情報に基づいて第１の画像信号の画像に排他色変換を行い、第２の画像信号として出力する。図２の例では、第１の画像信号の表示画像５において特定色ａの領域以外が白黒に排他色変換された画像が作成され、第２の画像信号として表示デバイスに出力される。【００３９】
以上のように、この実施の形態２によれば、入力デバイスによる入力操作に連動して表示画像５上を移動する特定色指定用マークによって表示画像５から少なくとも１つ以上選択された画像領域のＲＧＢ色成分データを、特定色ａのＲＧＢ色成分データとして取得する特定色指定部２と、特定色指定部２により取得された特定色ａのＲＧＢ色成分データを用いて、色相成分を有するＲＧＢ色空間から特定色ａの色相に相当する数値Ｈを求める特定色情報変換部３と、特定色情報変換部３で求められた特定色ａの色相に相当する数値に基づいて、表示画像５における特定色ａ以外の色を白黒に色変換する排他色変換部６とを備える。これにより、表示画像５中で特定色ａを指定することから、マウスやキー操作を多用する複雑な操作が不要であり、簡単な入力操作で特定色を指定することができる。また、特定色ａのＲＧＢ色成分データを用いて、色相成分を有するＲＧＢ色空間から特定色ａの色相に相当する数値Ｈを求めることから、上記実施の形態１と同様に、色変換情報として特定色の色相に相当する数値を除算と条件分岐による簡単な演算で求めることができ、従来と比較して格段に演算負荷を低減できる。これにより、特定色ａの領域以外を白黒に排他色変換する特殊画像を高速に作成することができる。【００４０】
なお、上記実施の形態２では、特定色を一つだけ指定して排他色変換する場合を説明したが、排他色変換で白黒にしない特定色を複数色指定してもよい。この場合、特定色情報変換部３は、ある特定色のデータから導き出した色相に相当する数値で表される色相領域と、他の特定色のデータから導き出した色相に相当する数値で表される色相領域とが重ならないように色相に相当する数値を求めて、各特定色に対応する色相領域を設定する。【００４１】
実施の形態３．
上記実施の形態１及び上記実施の形態２では、表示デバイスに表示した第１の画像信号の画像から特定色を指定する構成を示した。この実施の形態３による画像処理装置は、上記実施の形態１又は上記実施の形態２と基本的な構成は同一であるが、特定色指定部による特定色の指定処理において、第１の画像信号の画像に重ね合わせて表示したカラーバーから特定色を指定する点で異なる。【００４２】
図４は、この発明の実施の形態３による画像処理装置で特定色の指定に使用するカラーバーを示す図である。カラーバー７は、矩形枠内にＨＳＶ系の色相環に応じた順序で色相が配置されている。なお、図４では、出願書類の作成上の規定からカラーバー７を白黒で記載しているが、カラーバー７の左側から右側へ赤色、黄赤色、黄色、黄緑色、緑色、青緑色、青色、青紫色、紫色、赤紫色が順に配置されているものとする。【００４３】
実施の形態３による特定色指定部２は、画像処理対象の第１の画像信号の画像にカラーバー７を重ね合わせて表示デバイスの表示画面に表示させる。ユーザは、不図示の入力デバイスを用いて上記表示画面上のカラーバー７から特定色を指定する。【００４４】
図４に示す例では、ユーザが、不図示の入力デバイスを用いてカラーバー７の左端部（赤色領域）を色変換を行う特定色ａの領域としてマーキングし、カラーバー７の中央部（青色領域）を特定色ａの色変換後の色である特定色ｂの領域としてマーキングしている。なお、マーキングは、上記入力デバイスの入力操作に連動してカラーバー７中に表示してもよい。図４は、矩形のマークで特定色領域を表している。【００４５】
特定色指定部２は、上述のようにしてカラーバー７の部分領域がマーキングされると、ユーザに指定された特定色のＲＧＢデータとして上記部分領域内のＲＧＢデータを取得する。なお、マーキング箇所は複数画素からなる微小エリアであるため、特定色指定部２は、このエリア内の画素のＲＧＢ平均値を算出してマーキング箇所の特定色のＲＧＢデータとする。例えば、マーキング箇所が縦横ｎ×ｍ画素（ｎ，ｍは正の整数）のエリアである場合、特定色指定部２は、ｎ×ｍ画素のＲＧＢ平均値を特定色のＲＧＢ値として求める。【００４６】
特定色情報変換部３は、特定色指定部２から特定色ａ，ｂのＲＧＢデータを取得すると、特定色ａ，ｂのＲＧＢデータから特定色ａの色相に相当する数値及び特定色ｂの色相に相当する数値を算出し、色変換部４による色変換に必要な色変換情報として色変換部４に出力する。ここでは、ＲＧＢ色空間でＲＧＢ比率から色相に相当する数値Ｈを算出する。【００４７】
色変換部４では、特定色情報変換部３によって求められた色変換情報に基づいて第１の画像信号の画像に色変換を行い、第２の画像信号として出力する。これにより、第１の画像信号の画像において特定色ａが特定色ｂに色変換された画像が作成され、第２の画像信号として表示デバイスに出力される。【００４８】
以上のように、この実施の形態３によれば、色相環に応じた順序で色相を配置したカラーバー７を処理対象の画像に重ね合わせて表示し、このカラーバー７から特定色を選択するので、特定色の色相が視認しやすく、また簡単なマーキングによって特定色を選択することができる。【００４９】
なお、上記実施の形態３は、上記実施の形態１と同様に特定色ａを特定色ｂに色変換する場合を示したが、上記実施の形態３によるカラーバー７を上記実施の形態２の構成に適用し、カラーバー７から指定した特定色ａの領域以外を白黒に排他色変換するようにしてもよい。【００５０】
実施の形態４．
上記実施の形態３では、色相環に応じた順序で色相を配置したカラーバーから特定色を指定する構成を示した。この実施の形態４による画像処理装置は、上記実施の形態１〜３と基本的な構成は同一であるが、特定色指定部による特定色の指定処理において、第１の画像信号の画像に重ね合わせて表示したグラデーションカラーバー又はグラデーションカラーサークルから特定色を指定する点で異なる。【００５１】
図５は、この発明の実施の形態４による画像処理装置で特定色の指定に使用するグラデーションカラーバーを示す図である。グラデーションカラーバー８は、矩形枠内の横方向にＨＳＶ系の色相環に応じた順序で色相を配置し、前記矩形枠内の縦方向に輝度を徐々に変化させている。なお、図５では、出願書類の作成上の規定からグラデーションカラーバー８を白黒で記載しているが、グラデーションカラーバー８の左側から右側へ赤色、黄赤色、黄色、黄緑色、緑色、青緑色、青色、青紫色、紫色、赤紫色が順に配置され、縦方向の下側から上側へ輝度が徐々に高くなっているものとする。【００５２】
また、図６は、実施の形態４による画像処理装置で特定色の指定に使用するグラデーションカラーバーの他の例を示す図である。グラデーションカラーバー９は、矩形枠内の横方向にＨＳＶ系の色相環に応じた順序で色相を配置し、前記矩形枠内の縦方向に彩度を徐々に変化させている。なお、図６では、出願書類の作成上の規定からグラデーションカラーバー９を白黒で記載しているが、グラデーションカラーバー９の左側から右側へ赤色、黄赤色、黄色、黄緑色、緑色、青緑色、青色、青紫色、紫色、赤紫色が順に配置され、縦方向の下側から上側へ彩度が徐々に高くなっているものとする。【００５３】
さらに、図７は、実施の形態４による画像処理装置で特定色の指定に使用するグラデーションカラーサークルを示す図である。グラデーションカラーサークル１０は、円形枠内で環状にＨＳＶ系の色相環に応じた順序で色相を配置し、前記円形枠の中心から外周方向へ向けて彩度を徐々に変化させている。なお、図７では、出願書類の作成上の規定からグラデーションカラーサークル１０を白黒で記載しているが、グラデーションカラーサークル１０内で環状に赤色、黄赤色、黄色、黄緑色、緑色、青緑色、青色、青紫色、紫色、赤紫色が順に配置され、その中心から外周方向へ向けて彩度が徐々に高くなっているものとする。【００５４】
実施の形態４による特定色指定部２は、画像処理対象の第１の画像信号の画像にグラデーションカラーバー８（若しくは、グラデーションカラーバー９、グラデーションカラーサークル１０）を重ね合わせて表示デバイスの表示画面に表示させる。ユーザは、不図示の入力デバイスを用いて上記表示画面上のグラデーションカラーバー８（若しくは、グラデーションカラーバー９、グラデーションカラーサークル１０）から特定色を指定する。【００５５】
図５に示す例では、ユーザが、不図示の入力デバイスを用いてグラデーションカラーバー８の左端部で縦方向の中間部（赤色領域で輝度が中間値）を色変換を行う特定色ａの領域としてマーキングし、グラデーションカラーバー８の中央部で縦方向の中間部（青色領域で輝度が中間値）を特定色ａの色変換後の色である特定色ｂの領域としてマーキングした場合を示している。なお、マーキングは、上記入力デバイスの入力操作に連動してグラデーションカラーバー８中に表示してもよい。図５は、矩形のマークで特定色領域を表している。【００５６】
また、図６に示す例では、ユーザが、不図示の入力デバイスを用いてグラデーションカラーバー９の左端部で縦方向の上部（赤色領域で彩度が中間値より高い値）を色変換を行う特定色ａの領域としてマーキングし、グラデーションカラーバー８の中央部で縦方向の上部（青色領域で彩度が中間値より高い値）を特定色ａの色変換後の色である特定色ｂの領域としてマーキングした場合を示している。なお、マーキングは、上記入力デバイスの入力操作に連動してグラデーションカラーバー８中に表示してもよい。図６は、矩形のマークで特定色領域を表している。【００５７】
図７に示す例では、ユーザが、不図示の入力デバイスを用いてグラデーションカラーサークル１０の赤色が配置された外周部（彩度が最大値）を色変換を行う特定色ａの領域としてマーキングし、グラデーションカラーサークル１０の青色が配置された中心と外周との中間付近（彩度が中間値）を特定色ａの色変換後の色である特定色ｂの領域としてマーキングした場合を示している。なお、マーキングは、上記入力デバイスの入力操作に連動してグラデーションカラーサークル１０中に表示してもよい。図７は、矩形のマークで特定色領域を表している。【００５８】
特定色指定部２は、グラデーションカラーバー８（若しくは、グラデーションカラーバー９、グラデーションカラーサークル１０）の部分領域がマーキングされると、ユーザに指定された特定色のＲＧＢデータとして上記部分領域内のＲＧＢデータを取得する。なお、マーキング箇所は複数画素からなる微小エリアであるため、特定色指定部２は、このエリア内の画素のＲＧＢ平均値を算出してマーキング箇所の特定色のＲＧＢデータとする。例えば、マーキング箇所が、縦横ｎ×ｍ画素（ｎ，ｍは正の整数）のエリアである場合、特定色指定部２は、ｎ×ｍ画素のＲＧＢ平均値を特定色のＲＧＢ値として求める。【００５９】
特定色情報変換部３は、特定色指定部２から特定色ａ，ｂのＲＧＢデータを取得すると、特定色ａ，ｂのＲＧＢデータから特定色ａの色相に相当する数値及び特定色ｂの色相に相当する数値を算出し、色変換部４による色変換に必要な色変換情報として色変換部４に出力する。ここでは、ＲＧＢ色空間でＲＧＢ比率から色相に相当する数値Ｈを算出する。【００６０】
色変換部４では、特定色情報変換部３によって求められた色変換情報に基づいて第１の画像信号の画像に色変換を行い、第２の画像信号として出力する。これにより、第１の画像信号の画像において特定色ａが特定色ｂに色変換された画像が作成され、第２の画像信号として表示デバイスに出力される。【００６１】
以上のように、この実施の形態４によれば、矩形枠内の横方向に色相環に応じた順序で色相を配置し、矩形枠内の縦方向に輝度を徐々に変化させたグラデーションカラーバー８、矩形枠内の横方向に色相環に応じた順序で色相を配置し、矩形枠内の縦方向に彩度を徐々に変化させたグラデーションカラーバー９、及び円形枠内で環状に色相環に応じた順序で色相を配置し、円形枠の中心から外周方向へ向けて彩度を徐々に変化させたグラデーションカラーサークル１０のうちの少なくとも１つを画像処理対象の画像に重ね合わせて表示し、グラデーションカラーバー８（若しくは、グラデーションカラーバー９、グラデーションカラーサークル１０）から特定色を選択するので、特定色の色相や輝度、彩度が視認しやすく、また簡単なマーキングによって特定色を選択することができる。【００６２】
なお、上記実施の形態４は、上記実施の形態１と同様に特定色ａを特定色ｂに色変換する場合を示したが、上記実施の形態４によるグラデーションカラーバー８（若しくは、グラデーションカラーバー９、グラデーションカラーサークル１０）を上記実施の形態２の構成に適用し、グラデーションカラーバー８（若しくは、グラデーションカラーバー９、グラデーションカラーサークル１０）から指定した特定色ａの領域以外を白黒に排他色変換するようにしてもよい。【００６３】
実施の形態５．
図８は、この発明の実施の形態５による画像処理装置の構成を示すブロック図である。図８において、実施の形態５による画像処理装置１Ｂは、入力した第１の画像信号の画像で特定色ａを特定色ｂに色変換する装置である。ここで、第１の画像信号は、上記実施の形態１と同様にＲＧＢ信号からなり、画像処理装置１Ｂが備える表示デバイス（不図示）の表示画面上に表示する画像データである。また、第２の画像信号は、第１の画像信号の画像における特定色ａを特定色ｂへ色変換を行った画像データである。【００６４】
実施の形態５による画像処理装置１Ｂは、特定色指定部２ａ、特定色情報変換部３及び色変換部４を備える。特定色指定部２ａは、色変換に必要な特定色の指定を行うための構成要素であり、入力デバイス１１のキー操作部１２を用いた入力操作に連動して特定色を指定するためのＧＵＩを提供する。【００６５】
特定色情報変換部３は、特定色指定部２ａで指定された特定色のデータを色変換処理に適用可能な色変換情報に変換する。この色変換情報の算出方法は、上記実施の形態１と同様である。色変換部４は、特定色情報変換部３で求められた特定色の色変換情報を用いて、第１の画像信号の画像を色変換し第２の画像信号として出力する。この色変換の方法も上記実施の形態１と同様である。入力デバイス１１は、画像処理装置１Ｂに入力操作を行うためのデバイスであり、キー操作部１２を備える。キー操作部１２には、例えばジョグダイヤルがある。【００６６】
上述した特定色指定部２ａ、特定色情報変換部３及び色変換部４は、本発明の趣旨に従う画像処理プログラムをコンピュータに実行させてその動作を制御することにより、ソフトウエアとハードウエアとが協働した具体的な手段として実現することができる。【００６７】
次に動作について説明する。
（１）カラーバー又はグラデーションカラーバーを用いる場合
図９は、図８中の画像処理装置による特定色の指定処理を説明するための図である。図９では、携帯情報端末１３のプロセッサに上記画像処理プログラムを実行させて実施の形態５による画像処理装置１Ｂを具現化している。この携帯情報端末１３は、表示デバイス１４及びキー操作部１２としてジョグダイヤル１２ａを有している。携帯情報端末１３としては携帯電話やＤＳＣが考えられるが、これに限定されるものではない。例えば、ＰＤＡであってもよい。【００６８】
特定色指定部２ａは、画像処理対象の第１の画像信号の画像に図６で示したグラデーションカラーバー９を重ね合わせて表示デバイス１４の表示画面に表示させる。ユーザは、ジョグダイヤル１２ａを用いて上記表示画面上のグラデーションカラーバー９から特定色を指定する。【００６９】
図９中に矩形で表した特定色指定用マークは、表示デバイス１４を介して特定色指定部２ａによって特定色指定用に提供されるＧＵＩの要素の１つであり、ジョグダイヤル１２ａの動きに連動してグラデーションカラーバー９上を移動する。例えば、図９中に矢印で示すようにジョグダイヤル１２ａを時計回りに動かすことにより、特定色指定用マークがグラデーションカラーバー９上を左から右へ移動する。【００７０】
なお、ジョグダイヤル１２ａの円板部を十字キーとして上下左右に押下することで、その方向に特定色指定用マークがグラデーションカラーバー９上を移動するようにしてもよい。また、ジョグダイヤル１２ａの円板部を斜め方向に押下することにより、特定色指定用マークがグラデーションカラーバー９上を斜め方向に移動するようにしてもよい。【００７１】
特定色指定部２ａは、上述のようにして特定色指定用マークによってグラデーションカラーバー９の部分領域がマーキングされると、ユーザに指定された特定色のＲＧＢデータとして上記部分領域内のＲＧＢデータを取得する。図９の例では、ユーザが、ジョグダイヤル１２ａを用いてグラデーションカラーバー９の左端部で縦方向の上部（赤色領域で彩度が中間値より高い値）を色変換を行う特定色ａの領域としてマーキングし、グラデーションカラーバー８の中央部で縦方向の上部（青色領域で彩度が中間値より高い値）を特定色ａの色変換後の色である特定色ｂの領域としてマーキングした場合を示している。【００７２】
特定色情報変換部３は、特定色指定部２ａから特定色ａ，ｂのＲＧＢデータを取得すると、特定色ａ，ｂのＲＧＢデータから特定色ａの色相に相当する数値及び特定色ｂの色相に相当する数値を算出し、色変換部４の色変換に必要な色変換情報として色変換部４に出力する。ここでは、ＲＧＢ色空間でＲＧＢ比率から色相に相当する数値Ｈを算出する。【００７３】
色変換部４では、特定色情報変換部３によって求められた色変換情報に基づいて第１の画像信号の画像に色変換を行い、第２の画像信号として出力する。これにより、第１の画像信号の画像において特定色ａが特定色ｂに色変換された画像が作成され、第２の画像信号として表示デバイス１４に出力される。【００７４】
なお、上記説明では、特定色の指定対象としてグラデーションカラーバー９を用いる場合を示したが、図４に示したカラーバー７や、図５に示したグラデーションカラーバー８を用いても構わない。【００７５】
（２）グラデーションカラーサークルを用いる場合
図１０は、図８中の画像処理装置による特定色の指定処理の他の例を説明するための図である。図１０においても図９の場合と同様に、携帯情報端末１３のプロセッサに上記画像処理プログラムを実行させて実施の形態５による画像処理装置１Ｂを具現化している。この携帯情報端末１３は、表示デバイス１４及びキー操作部１２としてジョグダイヤル１２ａを有している。【００７６】
特定色指定部２ａは、画像処理対象の第１の画像信号の画像に図７で示したグラデーションカラーサークル１０を重ね合わせて表示デバイス１４の表示画面に表示させる。ユーザは、ジョグダイヤル１２ａを用いて上記表示画面上のグラデーションカラーサークル１０から特定色を指定する。【００７７】
図１０中に矩形で表した特定色指定用マークは、表示デバイス１４を介して特定色指定部２ａから特定色指定用に提供されるＧＵＩの要素の１つであり、ジョグダイヤル１２ａの動きに連動してグラデーションカラーサークル１０上を移動する。例えば、図１０中に矢印で示すようにジョグダイヤル１２ａを時計回りに動かすことにより、特定色指定用マークがグラデーションカラーサークル１０上を時計回りに移動する。【００７８】
なお、ジョグダイヤル１２ａの円板部を十字キーとして上下左右に押下することで、その方向に特定色指定用マークがグラデーションカラーサークル１０上を移動するようにしてもよい。また、ジョグダイヤル１２ａの円板部を斜め方向に押下することにより、特定色指定用マークがグラデーションカラーサークル１０上を斜め方向に移動するようにしてもよい。【００７９】
図１０の例では、ユーザが、ジョグダイヤル１２ａを用いてグラデーションカラーサークル１０の赤色が配置された外周部（彩度が最大値）を色変換を行う特定色ａの領域としてマーキングし、グラデーションカラーサークル１０の青色が配置された中心と外周との中間付近（彩度が中間値）を特定色ａの色変換後の色である特定色ｂの領域としてマーキングした場合を示している。【００８０】
特定色指定部２ａは、上述のようにして特定色指定用マークによってグラデーションカラーサークル１０の部分領域がマーキングされると、ユーザに指定された特定色のＲＧＢデータとして上記部分領域内のＲＧＢデータを取得する。以降の特定色情報変換部３及び色変換部４による処理は、上記（１）で示したものと同様である。【００８１】
以上のように、この実施の形態５によれば、特定色指定用マークのグラデーションカラーバー９（若しくは、カラーバー７、グラデーションカラーバー８、グラデーションカラーサークル１０）上での移動が動作（入力操作）に連動するジョグダイヤル１２ａなどのキー操作部１２を備えたので、特定色の色相や輝度、彩度が視認しやすく、また簡単な入力操作によるマーキングで特定色を選択することができる。【００８２】
なお、上記実施の形態５は、上記実施の形態１と同様に特定色ａを特定色ｂに色変換する場合を示したが、グラデーションカラーバー８（若しくは、カラーバー７、グラデーションカラーバー９、グラデーションカラーサークル１０）から指定した特定色ａの領域以外を白黒に排他色変換するように構成してもよい。
【産業上の利用可能性】
【００８３】
以上のように、この発明に係る画像処理装置は、簡単な入力操作で特殊画像を高速に作成することができることから、携帯電話やＤＳＣなどの表示デバイスを有する携帯装置に適している。
【図１】
2009050798.tif 000003
【図２】
2009050798.tif 000004
【図３】
2009050798.tif 000005
【図４】
2009050798.tif 000006
【図５】
2009050798.tif 000007
【図６】
2009050798.tif 000008
【図７】
2009050798.tif 000009
【図８】
2009050798.tif 000010
【図９】
2009050798.tif 000011
【図１０】
2009050798.tif 000012
【手続補正書】
【提出日】平成21年10月1日(2009.10.1)
【手続補正１】
【補正対象書類名】明細書
【補正対象項目名】全文
【補正方法】変更
【補正の内容】
【発明の詳細な説明】
【技術分野】
【０００１】
この発明は、入力画像の特殊画像を作成する画像処理装置に関するものである。
【背景技術】
【０００２】
例えば、特許文献１は、入力画像に特殊効果処理を施して特殊画像を作成する画像処理装置を開示する。この装置で実行される特殊効果処理としては、入力画像から特定色を指定し、この特定色以外は白黒画像として表示したり、特定色（色Ａ）を他の特定色（色Ｂ）に置き換えた画像とするもの等がある。特定色以外を白黒画像とする特殊効果では、例えば女性の顔のうち唇の色だけを残してそれ以外の色をグレーにして画像中の一部を強調した画像を得ることができる。
【先行技術文献】
【特許文献】
【０００３】
【特許文献１】特開２００４−７３７０号公報
【発明の概要】
【発明が解決しようとする課題】
【０００４】
従来の画像処理装置では、特殊効果処理に関する操作が複雑であったり、この操作を行うためのＧＵＩ（Graphical User Interface）が比較的大きな表示画面を有するコンピュータを対象とするものであった。例えば、従来の画像処理ソフトウエアは、コンピュータに実行させることで様々な種類の特殊効果処理を行うことができるが、特殊効果の選択や処理内容を設定する操作等が比較的難しく、熟練した作業者によらないと所望の画像を得ることができない。
【０００５】
また、特許文献１では、処理前の入力画像と処理後の特殊画像とを同一画面で別個に表示しかつ操作内容を示すウィンドウを表示可能な比較的大きな表示画面で、マウス等のポインティングデバイスを用いて入力画像から特定色を指定する。
【０００６】
このように、従来の画像処理装置では、比較的大きな表示画面に対応したユーザインタフェースを介して特殊効果処理等が実行される。このため、携帯電話やデジタルスチルカメラ（以下、ＤＳＣと適宜称す）等の小型表示画面を有する装置では、従来の画像処理装置でのユーザインタフェースは大き過ぎて画面上に表示できない。
【０００７】
また、携帯電話やＤＳＣは、キーボタンやジョグダイヤル等の小型の入力デバイスを有しており、その占有面積を削減するために筐体の同一外表面上に入力デバイスと表示画面との双方を設けたものもある。このような入力デバイスは、マウスやキー操作を多用する複雑な操作には不向きである。
【０００８】
さらに、特許文献１を含む従来の画像処理装置は、特殊効果処理での色変数である色相を三角関数を用いて演算している。例えば、入力画像のＲ（赤）、Ｇ（緑）、Ｂ（青）（以下、ＲＧＢと適宜記載する）をＸＹＺ色空間に変換し、べき乗の演算を行ってＬａｂ均等色空間に変換してから、三角関数（Ｈ＝ａｔａｎθ又はＨ＝ａｔａｎ（ａ，ｂ））等の複雑な演算により色相Ｈに変換する。
【０００９】
このように、従来の画像処理装置は、画像処理の演算負荷が大きい。このため、画像処理の演算速度を上げるには、多数の演算器を組み合わせた大規模なハードウエア構成が必要となり、小型で高速の装置を実現することが困難であるという課題があった。
【００１０】
この発明は上記のような課題を解決するためになされたもので、簡単な入力操作で特殊画像を高速に作成することができる画像処理装置を得ることを目的とする。
【課題を解決するための手段】
【００１１】
この発明に係る画像処理装置は、入力デバイスによる入力操作に連動して表示画面に表示された処理対象の画像上を移動する特定色指定用マークによって処理対象の画像から少なくとも１組以上選択された各画像領域の色成分データを、第１及び第２の特定色の各色成分データとして取得する特定色指定部と、特定色指定部により取得された第１及び第２の特定色の各色成分データを用いて、色相成分を有する色空間内の色領域を色成分データの比率で特定することにより第１及び第２の特定色の各色相に相当する数値を求める特定色情報変換部と、特定色情報変換部で求められた第１及び第２の特定色の各色相に相当する数値に基づいて、処理対象の画像における第１の特定色を第２の特定色に色変換する色変換部とを備えるものである。
【発明の効果】
【００１２】
この発明によれば、ユーザの好みに応じた特殊画像を簡単な入力操作で高速に作成することができるという効果がある。
【図面の簡単な説明】
【００１３】
【図１】この発明の実施の形態１による画像処理装置の構成を示すブロック図である。
【図２】特定色の指定操作を説明するための図である。
【図３】この発明の実施の形態２による画像処理装置の構成を示すブロック図である。
【図４】この発明の実施の形態３による画像処理装置で特定色の指定に使用するカラーバーを示す図である。
【図５】この発明の実施の形態４による画像処理装置で特定色の指定に使用するグラデーションカラーバーを示す図である。
【図６】実施の形態４による画像処理装置で特定色の指定に使用するグラデーションカラーバーの他の例を示す図である。
【図７】実施の形態４による画像処理装置で特定色の指定に使用するグラデーションカラーサークルを示す図である。
【図８】この発明の実施の形態５による画像処理装置の構成を示すブロック図である。
【図９】図８中の画像処理装置による特定色の指定処理を説明するための図である。
【図１０】図８中の画像処理装置による特定色の指定処理の他の例を説明するための図である。
【発明を実施するための形態】
【００１４】
以下、この発明をより詳細に説明するために、この発明を実施するための形態について、添付の図面に従って説明する。
実施の形態１．
図１は、この発明の実施の形態１による画像処理装置の構成を示すブロック図である。図１において、実施の形態１による画像処理装置１は、入力した第１の画像信号の画像で特定色ａ（第１の特定色）を特定色ｂ（第２の特定色）に色変換する装置である。ここで、第１の画像信号はＲＧＢ信号からなり、画像処理装置１が備える表示デバイス（不図示）の表示画面上に表示する画像データである。また、第２の画像信号は、第１の画像信号の画像における特定色ａを特定色ｂへ色変換を行った画像データである。
【００１５】
実施の形態１による画像処理装置１は、特定色指定部２、特定色情報変換部３及び色変換部４を備える。特定色指定部２は、第１の画像信号の画像から色変換に必要な特定色の指定を行うための構成要素であり、不図示の入力デバイスを用いた入力操作に連動して第１の画像信号の画像から特定色を指定するためのＧＵＩを提供する。
【００１６】
特定色情報変換部３は、特定色指定部２で指定された特定色の色成分データを、色変換処理に適用可能な色変換情報に変換する。この色変換情報としては、例えば特定色のＲＧＢデータに対応するＲＧＢ比率を用いてＲＧＢ空間から算出した色相に相当する数値がある。なお、色変換情報は、色変換部４で実行する色変換の方法によって異なる。例えば、色変換部４によってＹＣｂＣｒ色空間やＬ＊ａ＊ｂ＊色空間で色変換が行われる場合、ＹＣｂＣｒ色空間やＬ＊ａ＊ｂ＊色空間で規定される色相に相当する数値が色変換情報となる。
【００１７】
色変換部４は、特定色情報変換部３で求められた特定色の色変換情報を用いて、第１の画像信号の画像を色変換し、第２の画像信号として出力する。色変換の方法としては、色変換をしたい特定色の色相を指定して色変換後の特定色の色相に色変換するものであればよい。また、ＲＧＢ色空間、ＹＣｂＣｒ色空間、Ｌ＊ａ＊ｂ＊色空間等の色空間で色変換するようにしてもよい。
【００１８】
上述した特定色指定部２、特定色情報変換部３及び色変換部４は、本発明の趣旨に従う画像処理プログラムをコンピュータに実行させてその動作を制御することにより、ソフトウエアとハードウエアとが協働した具体的な手段として実現することができる。
【００１９】
次に動作について説明する。
以降では、小型の表示デバイスを有した携帯情報端末のプロセッサに上記画像処理プログラムを実行させて実施の形態１による画像処理装置１を具現化した場合を例に挙げる。なお、上記携帯情報端末としては携帯電話やＤＳＣが考えられるが、本発明はこれに限定されるものではない。例えば、ＰＤＡ（Personal Digital Assistants）として分類される携帯情報端末であってもよい。
【００２０】
先ず、画像処理装置１の特定色指定部２は、画像処理対象の第１の画像信号を上記表示デバイスの表示画面に表示する。図２は、特定色の指定操作を説明するための図であり、表示画像５は上記表示画面上に表示させた第１の画像信号の画像である。ここで、ユーザは、上記携帯情報端末に備えられた不図示の入力デバイスを用いて上記表示画面上の表示画像５から特定色を指定する。
【００２１】
図２に示す例では、ユーザが、不図示の入力デバイスを用いて表示画像５における家の屋根の一部を、色変換を行う特定色ａの部分領域としてマーキングし、表示画像５における空の一部を、特定色ａの色変換後の色である特定色ｂの部分領域としてマーキングした場合を示している。なお、マーキングは、上記入力デバイスの入力操作に連動して表示画像５中に表示してもよい。図２では、矩形のマークで特定色の部分領域を表している。
【００２２】
特定色指定部２は、上述のようにして表示画像５上の部分領域がマーキングされると、ユーザに指定された特定色のＲＧＢデータとして上記部分領域内のＲＧＢデータを取得する。なお、マーキング箇所は複数画素からなる微小エリアであるため、特定色指定部２は、このエリア内の画素のＲＧＢ平均値を算出してマーキング箇所の特定色のＲＧＢデータとする。例えば、マーキング箇所が、縦横ｎ×ｍ画素（ｎ，ｍは正の整数）のエリアである場合、特定色指定部２は、ｎ×ｍ画素のＲＧＢ平均値を特定色のＲＧＢ値として求める。
【００２３】
特定色情報変換部３は、特定色指定部２から特定色ａ，ｂのＲＧＢデータを取得すると、特定色ａ，ｂのＲＧＢデータから特定色ａの色相に相当する数値及び特定色ｂの色相に相当する数値を算出し、色変換部４による色変換に必要な色変換情報として色変換部４に出力する。ここでは、ＲＧＢ色空間でＲＧＢ比率から色相に相当する数値Ｈを算出する。
例えば、ＲＧＢが各々０〜２５５の値をとる場合、特定色のＲＧＢ比率ＨＰは下記式（１）で表され、ＲＧＢ比率ＨＰの下記場合分けによりＲＧＢ色空間内の色領域を特定して色相に相当する数値Ｈを求める。
ＨＰ＝（ｍａｘ（Ｒ，Ｇ，Ｂ）−ｍｉｎ（Ｒ，Ｇ，Ｂ））×２５５／（ｍａｘ（Ｒ，Ｇ，Ｂ）−ｍｉｎ（Ｒ，Ｇ，Ｂ））      ・・・（１）
０＜ＨＰ≦２５５（赤〜黄）のとき、Ｈ＝ＨＰ
２５５＜ＨＰ≦２５５×２（黄〜緑）のとき、Ｈ＝２５５×２−ＨＰ
２５５×２＜ＨＰ≦２５５×３（緑〜シアン）のとき、Ｈ＝２５５×２＋ＨＰ
２５５×３＜ＨＰ≦２５５×４（シアン〜青）のとき、Ｈ＝２５５×４−ＨＰ
２５５×４＜ＨＰ≦２５５×５（青〜マゼンタ）のとき、Ｈ＝２５５×４＋ＨＰ
２５５×５＜ＨＰ≦２５５×６（マゼンタ〜赤）のとき、Ｈ＝２５５×６−ＨＰ
【００２４】
このように、実施の形態１による画像処理装置１では、ＲＧＢ色空間におけるＲＧＢ比率に基づいて、色相に相当する数値Ｈを求める。このため、特定色情報変換部３の演算は、従来と異なり乗算や複雑な三角関数の演算を含まず、ＲＧＢ比率ＨＰを求める除算器一つとＨＰの条件分岐だけでよい。従って、色相に相当する数値を求める演算の負荷を低減することができる。
【００２５】
上述の説明では、ＲＧＢ色空間でＲＧＢ比率から色相に相当する数値Ｈを求める場合を示したが、これに限定されるものではない。例えば、特定色情報変換部３が、特定色ａ，ｂのＲＧＢデータを、色変換情報としてＹＣｂＣｒデータに変換してＹＣｂＣｒ色空間でＹＣｂＣｒ比率から色相に相当する数値を求めてもよい。また、特定色ａ，ｂのＲＧＢデータを、色変換情報としてＬ＊ａ＊ｂ＊データに変換してＬ＊ａ＊ｂ＊色空間で色相に相当する数値を求めてもよい。
【００２６】
色変換部４では、特定色情報変換部３によって求められた色変換情報に基づいて第１の画像信号の画像に色変換を行い、第２の画像信号として出力する。図２の例では、第１の画像信号の表示画像５において特定色ａが特定色ｂに色変換された画像が作成され、第２の画像信号として表示デバイスに出力される。
【００２７】
以上のように、この実施の形態１によれば、表示画像５上を移動する特定色指定用マークによって表示画像５から少なくとも１組以上選択された各画像領域のＲＧＢ色成分データを、特定色ａ，ｂの各ＲＧＢ色成分データとして取得する特定色指定部２と、特定色指定部２により取得された特定色ａ，ｂの各ＲＧＢ色成分データを用いて、色相成分を有するＲＧＢ色空間から特定色ａ，ｂの各色相に相当する数値Ｈを求める特定色情報変換部３と、特定色情報変換部３で求められた特定色ａ，ｂの各色相に相当する数値Ｈに基づいて、表示画像５における特定色ａを特定色ｂに色変換する色変換部４とを備える。これにより、表示画像５中で特定色ａ，ｂを指定することから、マウスやキー操作を多用する複雑な操作が不要であり、簡単な入力操作で特定色を指定することができる。また、特定色ａ，ｂの各色成分データを用いて、色相成分を有するＲＧＢ色空間から特定色ａ，ｂの各色相に相当する数値Ｈを求めることから、色変換情報として特定色の色相に相当する数値を除算と条件分岐による簡単な演算で求めることができ、従来と比較して格段に演算負荷を低減できる。これにより、特定色ａを特定色ｂに色変換する特殊画像を高速に作成することができる。
【００２８】
なお、上記実施の形態１では、特定色ａ，ｂを一組だけ指定して色変換する場合を説明したが、色変換すべき特定色と変換後の特定色との組は、複数組であってもよい。この場合、特定色情報変換部３は、ある組での色変換すべき特定色のデータから導き出した色相に相当する数値で表される色相領域と、他の組での色変換すべき特定色のデータから導き出した色相に相当する数値で表される色相領域とが重ならないように各組の色相に相当する数値を求めて、各組の色変換すべき特定色に対応する色相領域を設定する。
【００２９】
実施の形態２．
図３は、この発明の実施の形態２による画像処理装置の構成を示すブロック図である。図３において、実施の形態２による画像処理装置１Ａは、入力した第１の画像信号の画像で指定した特定色ａの領域以外を白黒に排他色変換する装置である。ここで、第１の画像信号はＲＧＢ信号からなり、画像処理装置１が備える不図示の表示画面上に表示する画像データである。また、第２の画像信号は、第１の画像信号の画像における特定色ａの領域以外を白黒へ排他色変換を行った画像データである。
【００３０】
実施の形態２による画像処理装置１Ａは、特定色指定部２、特定色情報変換部３及び排他色変換部６を備える。特定色指定部２は、第１の画像信号の画像から色変換に必要な特定色の指定を行うための構成要素であり、不図示の入力デバイスを用いた入力操作に連動して第１の画像信号の画像から特定色を指定するためのＧＵＩを提供する。
【００３１】
特定色情報変換部３は、特定色指定部２で指定された特定色のデータ及び予め設定された白黒レベルを、排他色変換処理に適用可能な色変換情報に変換する。この色変換情報としては、例えば特定色のＲＧＢデータに対応するＲＧＢ比率を用いてＲＧＢ空間から算出した色相に相当する数値がある。なお、色変換情報は、排他色変換部６で実行する排他色変換の方法によって異なる。例えば、排他色変換部６でＹＣｂＣｒ色空間やＬ＊ａ＊ｂ＊色空間で排他色変換が行われる場合、ＹＣｂＣｒ色空間やＬ＊ａ＊ｂ＊色空間で規定される色相に相当する数値が色変換情報となる。
【００３２】
排他色変換部６は、特定色情報変換部３で求められた特定色の色変換情報を用いて、第１の画像信号の画像を排他色変換し、第２の画像信号として出力する。なお、排他色変換は、ＲＧＢ色空間、ＹＣｂＣｒ色空間、Ｌ＊ａ＊ｂ＊色空間等の色空間で行うようにしてもよい。
【００３３】
上述した特定色指定部２、特定色情報変換部３及び排他色変換部６は、本発明の趣旨に従う画像処理プログラムをコンピュータに実行させてその動作を制御することにより、ソフトウエアとハードウエアとが協働した具体的な手段として実現することができる。
【００３４】
次に動作について説明する。
以降では、小型の表示デバイスを有した携帯情報端末のプロセッサに上記画像処理プログラムを実行させて画像処理装置１Ａを具現化した場合を例に挙げる。なお、上述した携帯情報端末としては携帯電話やＤＳＣが考えられるが、本発明はこれに限定されるものではない。例えば、ＰＤＡ（Personal Digital Assistants）として分類される携帯情報端末であってもよい。
【００３５】
先ず、画像処理装置１Ａの特定色指定部２は、画像処理対象の第１の画像信号の画像を上記表示デバイスの表示画面に表示する。ここで、ユーザは、上記携帯情報端末に備えられた不図示の入力デバイスを用いて上記表示画面上の表示画像から特定色を指定する。
【００３６】
上記実施の形態１で示した図２を用いて説明する。図２において、ユーザが、不図示の入力デバイスを用いて、例えば表示画像５における家の屋根の一部を、排他色変換をしない（排他色変換で白黒にしない）特定色ａの部分領域としてマーキングする。なお、マーキングは、上記実施の形態１と同様に、入力デバイスの入力操作に連動して表示画像５中に矩形のマークで表示するようにしてもよい。
【００３７】
特定色指定部２は、上述のようにして表示画像５上の部分領域がマーキングされると、ユーザに指定された特定色のＲＧＢデータとして上記部分領域内のＲＧＢデータを取得する。なお、上記実施の形態１と同様に、マーキング箇所は複数画素からなる微小エリアであるため、特定色指定部２は、このエリア内の画素のＲＧＢ平均値を算出してマーキング箇所の特定色のＲＧＢデータとする。
【００３８】
特定色情報変換部３は、特定色指定部２から排他色変換をしない特定色ａのＲＧＢデータを取得すると、上記実施の形態１と同様にして、特定色ａのＲＧＢデータから特定色ａの色相に相当する数値を算出する。この後、特定色情報変換部３は、排他色変換をしない特定色ａの色相に相当する数値と予め設定された白黒レベルデータとを、色変換情報として排他色変換部６に出力する。ここでは、ＲＧＢ色空間でＲＧＢ比率から色相に相当する数値Ｈを算出する。
【００３９】
排他色変換部６では、特定色情報変換部３によって求められた色変換情報に基づいて第１の画像信号の画像に排他色変換を行い、第２の画像信号として出力する。図２の例では、第１の画像信号の表示画像５において特定色ａの領域以外が白黒に排他色変換された画像が作成され、第２の画像信号として表示デバイスに出力される。
【００４０】
以上のように、この実施の形態２によれば、入力デバイスによる入力操作に連動して表示画像５上を移動する特定色指定用マークによって表示画像５から少なくとも１つ以上選択された画像領域のＲＧＢ色成分データを、特定色ａのＲＧＢ色成分データとして取得する特定色指定部２と、特定色指定部２により取得された特定色ａのＲＧＢ色成分データを用いて、色相成分を有するＲＧＢ色空間から特定色ａの色相に相当する数値Ｈを求める特定色情報変換部３と、特定色情報変換部３で求められた特定色ａの色相に相当する数値に基づいて、表示画像５における特定色ａ以外の色を白黒に色変換する排他色変換部６とを備える。これにより、表示画像５中で特定色ａを指定することから、マウスやキー操作を多用する複雑な操作が不要であり、簡単な入力操作で特定色を指定することができる。また、特定色ａのＲＧＢ色成分データを用いて、色相成分を有するＲＧＢ色空間から特定色ａの色相に相当する数値Ｈを求めることから、上記実施の形態１と同様に、色変換情報として特定色の色相に相当する数値を除算と条件分岐による簡単な演算で求めることができ、従来と比較して格段に演算負荷を低減できる。これにより、特定色ａの領域以外を白黒に排他色変換する特殊画像を高速に作成することができる。
【００４１】
なお、上記実施の形態２では、特定色を一つだけ指定して排他色変換する場合を説明したが、排他色変換で白黒にしない特定色を複数色指定してもよい。この場合、特定色情報変換部３は、ある特定色のデータから導き出した色相に相当する数値で表される色相領域と、他の特定色のデータから導き出した色相に相当する数値で表される色相領域とが重ならないように色相に相当する数値を求めて、各特定色に対応する色相領域を設定する。
【００４２】
実施の形態３．
上記実施の形態１及び上記実施の形態２では、表示デバイスに表示した第１の画像信号の画像から特定色を指定する構成を示した。この実施の形態３による画像処理装置は、上記実施の形態１又は上記実施の形態２と基本的な構成は同一であるが、特定色指定部による特定色の指定処理において、第１の画像信号の画像に重ね合わせて表示したカラーバーから特定色を指定する点で異なる。
【００４３】
図４は、この発明の実施の形態３による画像処理装置で特定色の指定に使用するカラーバーを示す図である。カラーバー７は、矩形枠内にＨＳＶ系の色相環に応じた順序で色相が配置されている。なお、図４では、出願書類の作成上の規定からカラーバー７を白黒で記載しているが、カラーバー７の左側から右側へ赤色、黄赤色、黄色、黄緑色、緑色、青緑色、青色、青紫色、紫色、赤紫色が順に配置されているものとする。
【００４４】
実施の形態３による特定色指定部２は、画像処理対象の第１の画像信号の画像にカラーバー７を重ね合わせて表示デバイスの表示画面に表示させる。ユーザは、不図示の入力デバイスを用いて上記表示画面上のカラーバー７から特定色を指定する。
【００４５】
図４に示す例では、ユーザが、不図示の入力デバイスを用いてカラーバー７の左端部（赤色領域）を色変換を行う特定色ａの領域としてマーキングし、カラーバー７の中央部（青色領域）を特定色ａの色変換後の色である特定色ｂの領域としてマーキングしている。なお、マーキングは、上記入力デバイスの入力操作に連動してカラーバー７中に表示してもよい。図４は、矩形のマークで特定色領域を表している。
【００４６】
特定色指定部２は、上述のようにしてカラーバー７の部分領域がマーキングされると、ユーザに指定された特定色のＲＧＢデータとして上記部分領域内のＲＧＢデータを取得する。なお、マーキング箇所は複数画素からなる微小エリアであるため、特定色指定部２は、このエリア内の画素のＲＧＢ平均値を算出してマーキング箇所の特定色のＲＧＢデータとする。例えば、マーキング箇所が縦横ｎ×ｍ画素（ｎ，ｍは正の整数）のエリアである場合、特定色指定部２は、ｎ×ｍ画素のＲＧＢ平均値を特定色のＲＧＢ値として求める。
【００４７】
特定色情報変換部３は、特定色指定部２から特定色ａ，ｂのＲＧＢデータを取得すると、特定色ａ，ｂのＲＧＢデータから特定色ａの色相に相当する数値及び特定色ｂの色相に相当する数値を算出し、色変換部４による色変換に必要な色変換情報として色変換部４に出力する。ここでは、ＲＧＢ色空間でＲＧＢ比率から色相に相当する数値Ｈを算出する。
【００４８】
色変換部４では、特定色情報変換部３によって求められた色変換情報に基づいて第１の画像信号の画像に色変換を行い、第２の画像信号として出力する。これにより、第１の画像信号の画像において特定色ａが特定色ｂに色変換された画像が作成され、第２の画像信号として表示デバイスに出力される。
【００４９】
以上のように、この実施の形態３によれば、色相環に応じた順序で色相を配置したカラーバー７を処理対象の画像に重ね合わせて表示し、このカラーバー７から特定色を選択するので、特定色の色相が視認しやすく、また簡単なマーキングによって特定色を選択することができる。
【００５０】
なお、上記実施の形態３は、上記実施の形態１と同様に特定色ａを特定色ｂに色変換する場合を示したが、上記実施の形態３によるカラーバー７を上記実施の形態２の構成に適用し、カラーバー７から指定した特定色ａの領域以外を白黒に排他色変換するようにしてもよい。
【００５１】
実施の形態４．
上記実施の形態３では、色相環に応じた順序で色相を配置したカラーバーから特定色を指定する構成を示した。この実施の形態４による画像処理装置は、上記実施の形態１〜３と基本的な構成は同一であるが、特定色指定部による特定色の指定処理において、第１の画像信号の画像に重ね合わせて表示したグラデーションカラーバー又はグラデーションカラーサークルから特定色を指定する点で異なる。
【００５２】
図５は、この発明の実施の形態４による画像処理装置で特定色の指定に使用するグラデーションカラーバーを示す図である。グラデーションカラーバー８は、矩形枠内の横方向にＨＳＶ系の色相環に応じた順序で色相を配置し、前記矩形枠内の縦方向に輝度を徐々に変化させている。なお、図５では、出願書類の作成上の規定からグラデーションカラーバー８を白黒で記載しているが、グラデーションカラーバー８の左側から右側へ赤色、黄赤色、黄色、黄緑色、緑色、青緑色、青色、青紫色、紫色、赤紫色が順に配置され、縦方向の下側から上側へ輝度が徐々に高くなっているものとする。
【００５３】
また、図６は、実施の形態４による画像処理装置で特定色の指定に使用するグラデーションカラーバーの他の例を示す図である。グラデーションカラーバー９は、矩形枠内の横方向にＨＳＶ系の色相環に応じた順序で色相を配置し、前記矩形枠内の縦方向に彩度を徐々に変化させている。なお、図６では、出願書類の作成上の規定からグラデーションカラーバー９を白黒で記載しているが、グラデーションカラーバー９の左側から右側へ赤色、黄赤色、黄色、黄緑色、緑色、青緑色、青色、青紫色、紫色、赤紫色が順に配置され、縦方向の下側から上側へ彩度が徐々に高くなっているものとする。
【００５４】
さらに、図７は、実施の形態４による画像処理装置で特定色の指定に使用するグラデーションカラーサークルを示す図である。グラデーションカラーサークル１０は、円形枠内で環状にＨＳＶ系の色相環に応じた順序で色相を配置し、前記円形枠の中心から外周方向へ向けて彩度を徐々に変化させている。なお、図７では、出願書類の作成上の規定からグラデーションカラーサークル１０を白黒で記載しているが、グラデーションカラーサークル１０内で環状に赤色、黄赤色、黄色、黄緑色、緑色、青緑色、青色、青紫色、紫色、赤紫色が順に配置され、その中心から外周方向へ向けて彩度が徐々に高くなっているものとする。
【００５５】
実施の形態４による特定色指定部２は、画像処理対象の第１の画像信号の画像にグラデーションカラーバー８（若しくは、グラデーションカラーバー９、グラデーションカラーサークル１０）を重ね合わせて表示デバイスの表示画面に表示させる。ユーザは、不図示の入力デバイスを用いて上記表示画面上のグラデーションカラーバー８（若しくは、グラデーションカラーバー９、グラデーションカラーサークル１０）から特定色を指定する。
【００５６】
図５に示す例では、ユーザが、不図示の入力デバイスを用いてグラデーションカラーバー８の左端部で縦方向の中間部（赤色領域で輝度が中間値）を色変換を行う特定色ａの領域としてマーキングし、グラデーションカラーバー８の中央部で縦方向の中間部（青色領域で輝度が中間値）を特定色ａの色変換後の色である特定色ｂの領域としてマーキングした場合を示している。なお、マーキングは、上記入力デバイスの入力操作に連動してグラデーションカラーバー８中に表示してもよい。図５は、矩形のマークで特定色領域を表している。
【００５７】
また、図６に示す例では、ユーザが、不図示の入力デバイスを用いてグラデーションカラーバー９の左端部で縦方向の上部（赤色領域で彩度が中間値より高い値）を色変換を行う特定色ａの領域としてマーキングし、グラデーションカラーバー８の中央部で縦方向の上部（青色領域で彩度が中間値より高い値）を特定色ａの色変換後の色である特定色ｂの領域としてマーキングした場合を示している。なお、マーキングは、上記入力デバイスの入力操作に連動してグラデーションカラーバー８中に表示してもよい。図６は、矩形のマークで特定色領域を表している。
【００５８】
図７に示す例では、ユーザが、不図示の入力デバイスを用いてグラデーションカラーサークル１０の赤色が配置された外周部（彩度が最大値）を色変換を行う特定色ａの領域としてマーキングし、グラデーションカラーサークル１０の青色が配置された中心と外周との中間付近（彩度が中間値）を特定色ａの色変換後の色である特定色ｂの領域としてマーキングした場合を示している。なお、マーキングは、上記入力デバイスの入力操作に連動してグラデーションカラーサークル１０中に表示してもよい。図７は、矩形のマークで特定色領域を表している。
【００５９】
特定色指定部２は、グラデーションカラーバー８（若しくは、グラデーションカラーバー９、グラデーションカラーサークル１０）の部分領域がマーキングされると、ユーザに指定された特定色のＲＧＢデータとして上記部分領域内のＲＧＢデータを取得する。なお、マーキング箇所は複数画素からなる微小エリアであるため、特定色指定部２は、このエリア内の画素のＲＧＢ平均値を算出してマーキング箇所の特定色のＲＧＢデータとする。例えば、マーキング箇所が、縦横ｎ×ｍ画素（ｎ，ｍは正の整数）のエリアである場合、特定色指定部２は、ｎ×ｍ画素のＲＧＢ平均値を特定色のＲＧＢ値として求める。
【００６０】
特定色情報変換部３は、特定色指定部２から特定色ａ，ｂのＲＧＢデータを取得すると、特定色ａ，ｂのＲＧＢデータから特定色ａの色相に相当する数値及び特定色ｂの色相に相当する数値を算出し、色変換部４による色変換に必要な色変換情報として色変換部４に出力する。ここでは、ＲＧＢ色空間でＲＧＢ比率から色相に相当する数値Ｈを算出する。
【００６１】
色変換部４では、特定色情報変換部３によって求められた色変換情報に基づいて第１の画像信号の画像に色変換を行い、第２の画像信号として出力する。これにより、第１の画像信号の画像において特定色ａが特定色ｂに色変換された画像が作成され、第２の画像信号として表示デバイスに出力される。
【００６２】
以上のように、この実施の形態４によれば、矩形枠内の横方向に色相環に応じた順序で色相を配置し、矩形枠内の縦方向に輝度を徐々に変化させたグラデーションカラーバー８、矩形枠内の横方向に色相環に応じた順序で色相を配置し、矩形枠内の縦方向に彩度を徐々に変化させたグラデーションカラーバー９、及び円形枠内で環状に色相環に応じた順序で色相を配置し、円形枠の中心から外周方向へ向けて彩度を徐々に変化させたグラデーションカラーサークル１０のうちの少なくとも１つを画像処理対象の画像に重ね合わせて表示し、グラデーションカラーバー８（若しくは、グラデーションカラーバー９、グラデーションカラーサークル１０）から特定色を選択するので、特定色の色相や輝度、彩度が視認しやすく、また簡単なマーキングによって特定色を選択することができる。
【００６３】
なお、上記実施の形態４は、上記実施の形態１と同様に特定色ａを特定色ｂに色変換する場合を示したが、上記実施の形態４によるグラデーションカラーバー８（若しくは、グラデーションカラーバー９、グラデーションカラーサークル１０）を上記実施の形態２の構成に適用し、グラデーションカラーバー８（若しくは、グラデーションカラーバー９、グラデーションカラーサークル１０）から指定した特定色ａの領域以外を白黒に排他色変換するようにしてもよい。
【００６４】
実施の形態５．
図８は、この発明の実施の形態５による画像処理装置の構成を示すブロック図である。図８において、実施の形態５による画像処理装置１Ｂは、入力した第１の画像信号の画像で特定色ａを特定色ｂに色変換する装置である。ここで、第１の画像信号は、上記実施の形態１と同様にＲＧＢ信号からなり、画像処理装置１Ｂが備える表示デバイス（不図示）の表示画面上に表示する画像データである。また、第２の画像信号は、第１の画像信号の画像における特定色ａを特定色ｂへ色変換を行った画像データである。
【００６５】
実施の形態５による画像処理装置１Ｂは、特定色指定部２ａ、特定色情報変換部３及び色変換部４を備える。特定色指定部２ａは、色変換に必要な特定色の指定を行うための構成要素であり、入力デバイス１１のキー操作部１２を用いた入力操作に連動して特定色を指定するためのＧＵＩを提供する。
【００６６】
特定色情報変換部３は、特定色指定部２ａで指定された特定色のデータを色変換処理に適用可能な色変換情報に変換する。この色変換情報の算出方法は、上記実施の形態１と同様である。色変換部４は、特定色情報変換部３で求められた特定色の色変換情報を用いて、第１の画像信号の画像を色変換し第２の画像信号として出力する。この色変換の方法も上記実施の形態１と同様である。入力デバイス１１は、画像処理装置１Ｂに入力操作を行うためのデバイスであり、キー操作部１２を備える。キー操作部１２には、例えばジョグダイヤルがある。
【００６７】
上述した特定色指定部２ａ、特定色情報変換部３及び色変換部４は、本発明の趣旨に従う画像処理プログラムをコンピュータに実行させてその動作を制御することにより、ソフトウエアとハードウエアとが協働した具体的な手段として実現することができる。
【００６８】
次に動作について説明する。
（１）カラーバー又はグラデーションカラーバーを用いる場合
図９は、図８中の画像処理装置による特定色の指定処理を説明するための図である。図９では、携帯情報端末１３のプロセッサに上記画像処理プログラムを実行させて実施の形態５による画像処理装置１Ｂを具現化している。この携帯情報端末１３は、表示デバイス１４及びキー操作部１２としてジョグダイヤル１２ａを有している。携帯情報端末１３としては携帯電話やＤＳＣが考えられるが、これに限定されるものではない。例えば、ＰＤＡであってもよい。
【００６９】
特定色指定部２ａは、画像処理対象の第１の画像信号の画像に図６で示したグラデーションカラーバー９を重ね合わせて表示デバイス１４の表示画面に表示させる。ユーザは、ジョグダイヤル１２ａを用いて上記表示画面上のグラデーションカラーバー９から特定色を指定する。
【００７０】
図９中に矩形で表した特定色指定用マークは、表示デバイス１４を介して特定色指定部２ａによって特定色指定用に提供されるＧＵＩの要素の１つであり、ジョグダイヤル１２ａの動きに連動してグラデーションカラーバー９上を移動する。例えば、図９中に矢印で示すようにジョグダイヤル１２ａを時計回りに動かすことにより、特定色指定用マークがグラデーションカラーバー９上を左から右へ移動する。
【００７１】
なお、ジョグダイヤル１２ａの円板部を十字キーとして上下左右に押下することで、その方向に特定色指定用マークがグラデーションカラーバー９上を移動するようにしてもよい。また、ジョグダイヤル１２ａの円板部を斜め方向に押下することにより、特定色指定用マークがグラデーションカラーバー９上を斜め方向に移動するようにしてもよい。
【００７２】
特定色指定部２ａは、上述のようにして特定色指定用マークによってグラデーションカラーバー９の部分領域がマーキングされると、ユーザに指定された特定色のＲＧＢデータとして上記部分領域内のＲＧＢデータを取得する。図９の例では、ユーザが、ジョグダイヤル１２ａを用いてグラデーションカラーバー９の左端部で縦方向の上部（赤色領域で彩度が中間値より高い値）を色変換を行う特定色ａの領域としてマーキングし、グラデーションカラーバー８の中央部で縦方向の上部（青色領域で彩度が中間値より高い値）を特定色ａの色変換後の色である特定色ｂの領域としてマーキングした場合を示している。
【００７３】
特定色情報変換部３は、特定色指定部２ａから特定色ａ，ｂのＲＧＢデータを取得すると、特定色ａ，ｂのＲＧＢデータから特定色ａの色相に相当する数値及び特定色ｂの色相に相当する数値を算出し、色変換部４の色変換に必要な色変換情報として色変換部４に出力する。ここでは、ＲＧＢ色空間でＲＧＢ比率から色相に相当する数値Ｈを算出する。
【００７４】
色変換部４では、特定色情報変換部３によって求められた色変換情報に基づいて第１の画像信号の画像に色変換を行い、第２の画像信号として出力する。これにより、第１の画像信号の画像において特定色ａが特定色ｂに色変換された画像が作成され、第２の画像信号として表示デバイス１４に出力される。
【００７５】
なお、上記説明では、特定色の指定対象としてグラデーションカラーバー９を用いる場合を示したが、図４に示したカラーバー７や、図５に示したグラデーションカラーバー８を用いても構わない。
【００７６】
（２）グラデーションカラーサークルを用いる場合
図１０は、図８中の画像処理装置による特定色の指定処理の他の例を説明するための図である。図１０においても図９の場合と同様に、携帯情報端末１３のプロセッサに上記画像処理プログラムを実行させて実施の形態５による画像処理装置１Ｂを具現化している。この携帯情報端末１３は、表示デバイス１４及びキー操作部１２としてジョグダイヤル１２ａを有している。
【００７７】
特定色指定部２ａは、画像処理対象の第１の画像信号の画像に図７で示したグラデーションカラーサークル１０を重ね合わせて表示デバイス１４の表示画面に表示させる。ユーザは、ジョグダイヤル１２ａを用いて上記表示画面上のグラデーションカラーサークル１０から特定色を指定する。
【００７８】
図１０中に矩形で表した特定色指定用マークは、表示デバイス１４を介して特定色指定部２ａから特定色指定用に提供されるＧＵＩの要素の１つであり、ジョグダイヤル１２ａの動きに連動してグラデーションカラーサークル１０上を移動する。例えば、図１０中に矢印で示すようにジョグダイヤル１２ａを時計回りに動かすことにより、特定色指定用マークがグラデーションカラーサークル１０上を時計回りに移動する。
【００７９】
なお、ジョグダイヤル１２ａの円板部を十字キーとして上下左右に押下することで、その方向に特定色指定用マークがグラデーションカラーサークル１０上を移動するようにしてもよい。また、ジョグダイヤル１２ａの円板部を斜め方向に押下することにより、特定色指定用マークがグラデーションカラーサークル１０上を斜め方向に移動するようにしてもよい。
【００８０】
図１０の例では、ユーザが、ジョグダイヤル１２ａを用いてグラデーションカラーサークル１０の赤色が配置された外周部（彩度が最大値）を色変換を行う特定色ａの領域としてマーキングし、グラデーションカラーサークル１０の青色が配置された中心と外周との中間付近（彩度が中間値）を特定色ａの色変換後の色である特定色ｂの領域としてマーキングした場合を示している。
【００８１】
特定色指定部２ａは、上述のようにして特定色指定用マークによってグラデーションカラーサークル１０の部分領域がマーキングされると、ユーザに指定された特定色のＲＧＢデータとして上記部分領域内のＲＧＢデータを取得する。以降の特定色情報変換部３及び色変換部４による処理は、上記（１）で示したものと同様である。
【００８２】
以上のように、この実施の形態５によれば、特定色指定用マークのグラデーションカラーバー９（若しくは、カラーバー７、グラデーションカラーバー８、グラデーションカラーサークル１０）上での移動が動作（入力操作）に連動するジョグダイヤル１２ａなどのキー操作部１２を備えたので、特定色の色相や輝度、彩度が視認しやすく、また簡単な入力操作によるマーキングで特定色を選択することができる。
【００８３】
なお、上記実施の形態５は、上記実施の形態１と同様に特定色ａを特定色ｂに色変換する場合を示したが、グラデーションカラーバー８（若しくは、カラーバー７、グラデーションカラーバー９、グラデーションカラーサークル１０）から指定した特定色ａの領域以外を白黒に排他色変換するように構成してもよい。
【産業上の利用可能性】
【００８４】
以上のように、この発明に係る画像処理装置は、簡単な入力操作で特殊画像を高速に作成することができることから、携帯電話やＤＳＣなどの表示デバイスを有する携帯装置に適している。
【手続補正２】
【補正対象書類名】特許請求の範囲
【補正対象項目名】全文
【補正方法】変更
【補正の内容】
【特許請求の範囲】
【請求項１】
入力デバイスによる入力操作に連動して表示画面に表示された処理対象の画像上を移動する特定色指定用マークによって前記処理対象の画像から少なくとも１組以上選択された各画像領域の色成分データを、第１及び第２の特定色の各色成分データとして取得する特定色指定部と、
前記特定色指定部により取得された前記第１及び前記第２の特定色の各色成分データを用いて、色相成分を有する色空間内の色領域を前記色成分データの比率で特定することにより前記第１及び前記第２の特定色の各色相に相当する値を求める特定色情報変換部と、
前記特定色情報変換部で求められた前記第１及び前記第２の特定色の各色相に相当する値に基づいて、前記処理対象の画像における前記第１の特定色を前記第２の特定色に色変換する色変換部とを備えた画像処理装置。
【請求項２】
特定色指定部は、表示画面に処理対象の画像に重ね合わせて表示させた、矩形枠内の横方向に色相環に応じた順序で色相を配置したカラーバーから特定色指定用マークによって選択された画像領域の色成分データを、第１及び第２の特定色の色成分データとして取得することを特徴とする請求項１記載の画像処理装置。
【請求項３】
特定色指定部は、表示画面に処理対象の画像に重ね合わせて表示させた、矩形枠内の横方向に色相環に応じた順序で色相を配置し、前記矩形枠内の縦方向に輝度を徐々に変化させたグラデーションカラーバーから特定色指定用マークによって選択された画像領域の色成分データを、第１及び第２の特定色の色成分データとして取得することを特徴とする請求項１記載の画像処理装置。
【請求項４】
特定色指定部は、表示画面に処理対象の画像に重ね合わせて表示させた、矩形枠内の横方向に色相環に応じた順序で色相を配置し、前記矩形枠内の縦方向に彩度を徐々に変化させたグラデーションカラーバーから特定色指定用マークによって選択された画像領域の色成分データを、第１及び第２の特定色の色成分データとして取得することを特徴とする請求項１記載の画像処理装置。
【請求項５】
特定色指定部は、入力デバイスの入力操作に連動して表示画面に処理対象の画像に重ね合わせて表示させた、円形枠内で環状に色相環に応じた順序で色相を配置し、前記円形枠の中心から外周方向へ向けて彩度を徐々に変化させたグラデーションカラーサークルから特定色指定用マークによって選択された画像領域の色成分データを、第１及び第２の特定色の色成分データとして取得することを特徴とする請求項１記載の画像処理装置。
【請求項６】
特定色指定用マークの移動が入力操作に連動する入力デバイスを備えたことを特徴とする請求項１記載の画像処理装置。
【請求項７】
入力デバイスによる入力操作に連動して表示画面に表示された処理対象の画像上を移動する特定色指定用マークによって前記処理対象の画像から少なくとも１つ以上選択された画像領域の色成分データを、特定色の色成分データとして取得する特定色指定部と、
前記特定色指定部により取得された前記特定色の色成分データを用いて、色相成分を有する色空間内の色領域を前記色成分データの比率で特定することにより前記特定色の色相に相当する値を求める特定色情報変換部と、
前記特定色情報変換部で求められた前記特定色の色相に相当する値に基づいて、前記処理対象の画像における前記特定色以外の色を白黒に色変換する排他色変換部とを備えた画像処理装置。
【請求項８】
特定色指定部は、表示画面に処理対象の画像に重ね合わせて表示させた、矩形枠内の横方向に色相環に応じた順序で色相を配置したカラーバーから特定色指定用マークによって選択された画像領域の色成分データを、特定色の色成分データとして取得することを特徴とする請求項７記載の画像処理装置。
【請求項９】
特定色指定部は、表示画面に処理対象の画像に重ね合わせて表示させた、矩形枠内の横方向に色相環に応じた順序で色相を配置し、前記矩形枠内の縦方向に輝度を徐々に変化させたグラデーションカラーバーから特定色指定用マークによって選択された画像領域の色成分データを、特定色の色成分データとして取得することを特徴とする請求項７記載の画像処理装置。
【請求項１０】
特定色指定部は、表示画面に処理対象の画像に重ね合わせて表示させた、矩形枠内の横方向に色相環に応じた順序で色相を配置し、前記矩形枠内の縦方向に彩度を徐々に変化させたグラデーションカラーバーから特定色指定用マークによって選択された画像領域の色成分データを、特定色の色成分データとして取得することを特徴とする請求項７記載の画像処理装置。
【請求項１１】
特定色指定部は、入力デバイスの入力操作に連動して表示画面に処理対象の画像に重ね合わせて表示させた、円形枠内で環状に色相環に応じた順序で色相を配置し、前記円形枠の中心から外周方向へ向けて彩度を徐々に変化させたグラデーションカラーサークルから特定色指定用マークによって選択された画像領域の色成分データを、特定色の色成分データとして取得することを特徴とする請求項７記載の画像処理装置。
【請求項１２】
特定色指定用マークの移動が入力操作に連動する入力デバイスを備えたことを特徴とする請求項７記載の画像処理装置。
【国際調査報告】
2009050798.tif 000013
2009050798.tif 000014
2009050798.tif 000015
2009050798.tif 000016
2009050798.tif 000017
2009050798.tif 000018
2009050798.tif 000019